(57)【要約】      （修正有）【課題】腰骨及び／又は骨盤(胴全体)に負担を掛けることがなく、装着の容易性と、長時間の装着でも疲労感と、違和感等が少ないこと、又は快適な装着を楽しむことができる腰ベルトを提供する。【解決手段】本考案は、係止片と被係止片を備えた腰ベルト本体と、腰ベルト本体内に設けた補強材と、両端側に向かって細幅状に形成した略低い山形状で、かつ両端に係止片を備えた矯正ベルトとで構成した腰ベルトであり、この矯正ベルトは、下側を略水平形状に形成した水平部に、上側を中心部から両端側に向かって緩やかなスロープ部に形成し、中心部を腰ベルト本体の裏面中央部の略上半分に固止した構成である。【選択図】図６
0003110663.tif 000002
【実用新案登録請求の範囲】
【請求項１】
両端に係止片と被係止片を備えた腰ベルト本体と、この腰ベルト本体内に設けた補強材と、また両端側に向かって細幅状に形成した略低い山形状で、かつこの両端に係止片を備えた矯正ベルトとで構成した腰ベルトであって、
この矯正ベルトは、その下側を略水平形状に形成した水平部に、またその上側を中心部から両端側に向かって緩やかなスロープ部に形成し、前記中心部を前記腰ベルト本体の裏面中央部の略上半分に固止した構成であり、
前記腰ベルト本体で人体の腰部を緊締し、またこの矯正ベルトの緩やかなスロープ部でこの人体の腰骨の上方を迂回して前記腰ベルト本体の上から前記腰部の一部を緊締可能としたことを特徴とする腰ベルト。
【請求項２】
請求項１に記載の補強材は、前記腰ベルト本体の腰部に当接する裏面側に数本の可撓性縦板材と、この可撓性縦板材の上方側に差渡し設けた少なくとも一本の可撓性横板材とで構成したことを特徴とする腰ベルト。
【請求項３】
請求項１に記載の腰ベルト本体は、その下側を略水平形状と段付き絞り部に形成した変形倒略山形状に構成したことを特徴とする腰ベルト。
【考案の詳細な説明】
【技術分野】
【０００１】
本考案は、腰部のサポートと、矯正とを意図した腰ベルトに関する。
【背景技術】
【０００２】
従来、この種の腰ベルトは、腰ベルト本体が、腰部を幅広く保持し（緊締し）、かつ腰椎を取り囲む胴全体の安定性を確保し、腰部等をサポートすることで、例えば、腰部の動きと、腰椎のズレ防止や外部からの衝撃を防ぎつつ、前後の屈や捻り等の腰部の動きを、適当にサポートすること等を意図する。そして、腰痛防止と、リハビリ、又は姿勢・体勢の矯正等を図ることを目的とする。従って、各種の構成及び／又は形態の腰ベルトが提供されており、それなりの成果を上げている。
【０００３】
しかし、この種の腰痛防止と、リハビリ、又は姿勢・体勢(体形)の矯正(美容)等は、人の姿勢（体形）、感覚、嗜好等により区々であり、使用者の全てが満足するに到っていないのが現況であり、これに伴って種々の発明又は考案が提案されているので、その一例を説明する。
【０００４】
文献（１）は、特開２００３−１１６８９５の「姿勢矯正骨盤ベルト」である。その構成は、両端に第一係着手段を設けた、その長手方向に伸縮性を備えた第一帯と、この第一帯の中間部に交差するように中心が固定され、その両端が当該第一帯の両側方向に略同一長さで延びる長手方向に伸縮性を備えた対の第二帯と、この第二帯の両端に設けた第二係着手段とを備えており、この第一帯を骨盤近傍に水平に装着し、またこの第二帯の一側を体側の骨盤の下方（大腿骨の大転子部あたり）に巻いて、所望の強さで引張り(伸長し)、その一方の端を第一帯の所望箇所に係着する。また第二帯の他側を反対の体側の骨盤の上を通るように巻いて、所望の強さで引張り、この他方の端を第一帯の所望箇所に係着し、この第二帯を、左上がり又は右上がりに斜めになった状態で装着する構成であり、その特徴は、腰から骨盤にかけての部分に装着して、肩こりや腰痛等の予防・治療に用いること、又は姿勢矯正等に役立てることにある。
【０００５】
また文献(２)は、特開２００２−２３８９３１の「腰用サポータ」である。その内容は、スパッツと、骨盤の外側に巻き付けて骨盤を安定化させるためのベルトでなり、このベルトの一部をスパッツの後ろ側でスパッツに固定し、ベルトの固定されていない端部にはスパッツの前側で接続するための接続手段を設けたことを特徴とする構成であり、その特徴は、骨盤を効果的に締付けるとともに、装着中に激しい運動を行ってもずれ上がることがなく、腰痛治療後における骨盤の支持と、その痛みの緩和、又は腰痛の再発防止と、その予防等に効果を有する腰用サポータを提供する。
【０００６】
【特許文献１】特開２００３−１１６８９５
【特許文献２】特開２００２−２３８９３１
【考案の開示】
【考案が解決しようとする課題】
【０００７】
前記文献(１)は、対の第二帯を骨盤の上下側を捲装するようにし、この第二帯は、第一帯を基準として斜め方向に緊締する構成であるので、装着時の安定性に欠けること、又は左右均一な緊締に対する保証がなく、一面的な使用に限定されるものと考えられる。またこの文献(１)は図示されているが如く(図５参照)、特異体質の疾患者に有効であるが、通常の使用者には不向きであり、改良の余地が考えられる。
【０００８】
また文献(２)は、腰用サポータであって、スパッツと緊締ベルトの組合せであり、このスパッツに違和感を抱く使用者には、問題があること、またこの種のスパッツを好む疾患者には有効であるが、通常の使用者には不向きであり、改良の余地が考えられる。
【課題を解決するための手段】
【０００９】
請求項１の考案は、腰骨の上側を迂回するようにして矯正ベルトが捲装されることから、この腰骨及び／又は骨盤(胴全体)に負担を掛けることがなく、装着の容易性と、長時間の装着でも疲労感と、違和感等が少ないこと、又は快適な装着を楽しむこと等を意図する。また請求項１の考案は、腰骨の上側を迂回するようにして矯正ベルトを捲装し、この矯正ベルトの緊締度を高めて、所望する腰痛治癒と、リハビリ、又は姿勢・体勢の矯正等を図ることを意図する。
【００１０】
請求項１は、両端に係止片と被係止片を備えた腰ベルト本体と、この腰ベルト本体内に設けた補強材と、また両端側に向かって細幅状に形成した略低い山形状で、かつこの両端に係止片を備えた矯正ベルトとで構成した腰ベルトであって、
この矯正ベルトは、その下側を略水平形状に形成した水平部に、またその上側を中心部から両端側に向かって緩やかなスロープ部に形成し、前記中心部を前記腰ベルト本体の裏面中央部の略上半分に固止した構成であり、
前記腰ベルト本体で人体の腰部及び／又は胴全体を緊締し、またこの矯正ベルトの緩やかなスロープ部でこの人体の腰骨の上方を迂回して前記腰ベルト本体の上から前記腰部の一部を緊締可能としたことを特徴とする腰ベルトである。
【００１１】
請求項２の考案は、請求項１の目的を達成すること、またこの目的を達成するのに最適な補強材を提供し、この腰ベルトの強靭性と、柔軟性を確保すること等を意図する。
【００１２】
請求項２は、請求項１に記載の補強材は、前記腰ベルト本体の腰部に当接する裏面側に数本の可撓性縦板材と、この可撓性縦板材の上方側に差渡し設けた少なくとも一本の可撓性横板材とで構成したことを特徴とする腰ベルトである。
【００１３】
請求項３の考案は、請求項１の目的を達成すること、またこの目的を達成するのに最適な腰ベルト本体を提供し、この腰ベルト本体の装着の簡便性と、装着の違和感を解消すること等を意図する。
【００１４】
請求項３は、請求項１に記載の腰ベルト本体は、その下側を略水平形状と段付き絞り部に形成した変形倒略山形状に構成したことを特徴とする腰ベルトである。
【考案の効果】
【００１５】
請求項１の考案は、両端に係止片と被係止片を備えた腰ベルト本体と、腰ベルト本体内に設けた補強材と、また両端側に向かって細幅状に形成した略低い山形状で、かつ両端に係止片を備えた矯正ベルトとで構成した腰ベルトであって、
矯正ベルトは、その下側を略水平形状に形成した水平部に、またその上側を中心部から両端側に向かって緩やかなスロープ部に形成し、中心部を前記腰ベルト本体の裏面中央部の略上半分に固止した構成であり、
腰ベルト本体で人体の腰部全体を緊締し、また矯正ベルトの緩やかなスロープ部で人体の腰骨の上方を迂回して腰ベルト本体の上から腰部の一部を緊締可能とした腰ベルトである。
【００１６】
従って、請求項１は、腰骨の上側を迂回するようにして矯正ベルトが捲装されることから、この腰骨及び／又は骨盤に負担を掛けることがなく、装着の容易性と、長時間の装着でも疲労感と、違和感等が少ないこと、又は快適な装着を楽しむことができること等の特徴がある。また請求項１の考案は、腰骨の上側を迂回するようにして矯正ベルトを捲装し、この矯正ベルトの緊締度を高めて、所望する腰痛治癒と、リハビリ、又は姿勢・体勢の矯正等が図れること等の実益がある。
【００１７】
請求項２の考案は、請求項１に記載の補強材は、腰ベルト本体の腰部に当接する裏面側に数本の可撓性縦板材と、可撓性縦板材の上方側に差渡し設けた少なくとも一本の可撓性横板材とで構成した腰ベルトである。
【００１８】
従って、請求項２は、請求項１の目的を達成できること、またこの目的を達成するのに最適な補強材を提供し、この腰ベルトの強靭性と、柔軟性が確保できること等の特徴がある。
【００１９】
請求項３の考案は、請求項１に記載の腰ベルト本体は、その下側を略水平形状と段付き絞り部に形成した変形倒略山形状に構成した腰ベルトである。
【００２０】
従って、請求項３は、請求項１の目的を達成できること、またこの目的を達成するのに最適な腰ベルト本体を提供し、この腰ベルト本体の装着の簡便性と、装着の違和感を解消できること等の特徴がある。
【考案を実施するための最良の形態】
【００２１】
本考案の一例を説明する。
先ず、図面の説明をすると、図１は背面図(装着時に人体の外側になる面)、図２は正面図(装着時に人体に接触する面)、図３は図１の斜視図、図４は装着状態の正面図、図５は装着状態の背面図、図６は装着状態の側面図である。
【００２２】
１は両端１ａ、１ｂに係止片２と被係止片３を備えた腰ベルト本体で、この腰ベルト本体１内には可撓性の板状でなる補強材４を数本設けて、この腰ベルト本体１の強靭性と、柔軟性、又は復元性等を確保する。そして、この例では、補強材４は長手方向(腰ベルト本体１の両端１ａ、１ｂ方向)と直交する縦方向に四本と、長手方向の下側１ｃに設け、かつ前記縦方向に差渡し設けた横方向の一本で構成し、腰Ｈの後側Ｈ１を緊締かつ矯正することを特徴とする。
尚、この腰ベルト本体１は図１に示した正面図の如く、長手方向の上側１ｄが略水平形状に形成した水平部１００に、またその下側１ｃを中心部から両端側に向かって段階状に細くした絞り部１０１を形成した変形倒略山形状とし、腰Ｈの後側Ｈ１を緊締(締め付け)かつ矯正するとともに、この腹Ｈ２の下側を緊締かつ矯正すること、装着の容易性・快適性を図ること等を特徴とする。そして、前記水平部１００は前記緊締かつ矯正に有益であり、また絞り部１０１は腹Ｈ２の形態と、足付け根Ｈ３の形態に違和感なく添接できる利点がある。尚、係止片２と被係止片３は、例えば、面ファスナーの雄雌構造が理想であるが、殊にこの被係止片３は強固に保持できる構造を採用し、確実に腰Ｈに装着(捲装)できる構成とする。
【００２３】
６は両端６ａ、６ｂに係止片６００を備えた矯正ベルトで、この矯正ベルト６は下側６ｃを略水平形状に形成した水平部６０１に、また上側６ｄを中心部６ｅから両端６ａ、６ｂ側に向かって緩やかなスロープ部６０２、６０２に形成し、中心部６ｅを前記腰ベルト本体１の裏面１ｅ中央部１ｆの略上半分に縦方向に固止する。従って、この矯正ベルト６は、矯正ベルト６の水平部６０１の中心部６ｅを上側６ｄに向かって凹設した凹部位６０１ａ及び／又はこの腰ベルト本体１の裏面１ｅ中央部１ｆの略上半分に固止することで、腰Ｈの腰骨Ｈ４の上側を迂回するようにして捲装し、この矯正ベルト６を引張った状態で、その両端６ａ、６ｂを、前記腰ベルト本体１の表面１ｇに係止する。この係止方法を採用することで、この矯正ベルト６の緊締度を高めて、所望する腰痛治癒と、リハビリ、又は姿勢・体勢の矯正等が図れる実益がある(図６参照)。そして、この係止方法の際に、両端６ａ、６ｂを、前記腰ベルト本体１の表面１ｇの下側１ｃに近接して係止することで、腰Ｈに対する緊締度を高めて、腰骨及び／又は骨盤に負担を掛けることがなく、装着の容易性を確保できること、また長時間の装着でも疲労感と、違和感とが少ないこと、又は快適な装着を楽しめること等の特徴がある。また逆に、両端６ａ、６ｂを、前記腰ベルト本体１の表面１ｇの下側１ｃより離間して係止することで、腰Ｈに対する緊締度を緩和し、緩やかな緊張と、前述と同様な快適な装着を確保できる利点が考えられる。
【００２４】
以下、装着の一例を説明すると、腰Ｈの後側Ｈ１に腰ベルト本体１の表面１ｇを添接し、この腰ベルト本体１の両端１ａ、１ｂを腹Ｈ２に回して、係止片２と被係止片３を係止することで、この腰ベルト本体１は腰Ｈに緊締される。これにより、矢印Ａの如く、腹Ｈ２、腰Ｈの筋肉を緊締できる。そして、この際、下側１ｃに設けた絞り部１０１が腹Ｈ２及び／又は足付け根Ｈ３に馴染み、違和感なく添接できる利点がある。この腰ベルト本体１の装着状態で、矯正ベルト６を引張り、その両端６ａ、６ｂを前記腰ベルト本体１の裏面１ｅにそれぞれ係止する。この矯正ベルト６の腰ベルト本体１の裏面１ｅ(被係止片となる)へのそれぞれの係止で、装着済みの腰ベルト本体１を一層引き締め、二重の緊締を図ることで、矢印Ｂの如く、腹Ｈ２、腰Ｈの筋肉を押し上げ及び／又は押し下げ得る特徴があり、また前述の如く、腰痛治癒と、リハビリ、又は姿勢・体勢の矯正等が図れること等の実益がある。また前記矯正ベルト６の腰ベルト本体１の裏面１ｅへの緩やかなそれぞれの係止で、優しい腰痛治癒と、リハビリ、又は姿勢・体勢の矯正等が図れる利点があり重宝する。そして、本考案が意図する如く、腰Ｈの腰骨Ｈ４の上側を迂回するようにして捲装することで、この矯正ベルト６の緊締度を高めて、所望する腰痛治癒と、リハビリ、又は姿勢・体勢の矯正等が図れること、また矢印Ｃの如く、腰骨Ｈ４の上部が押し上げられるので、腹Ｈ２、腰Ｈの筋肉の負担を軽減できること等の大きな実益がある。
【図面の簡単な説明】
【００２５】
【図１】図１は本考案の背面図(装着時に人体の外側になる面)
【図２】図２は本考案の正面図(装着時に人体に添接する面)
【図３】図３は図１の斜視図
【図４】図４は本考案の装着状態の正面図
【図５】図５は本考案の装着状態の背面図
【図６】図６は本考案の装着状態の側面図
【符号の説明】
【００２６】
１              腰ベルト本体
１００          水平部
１０１          絞り部
１ａ            端
１ｂ            端
１ｃ            下側
１ｄ            上側
１ｅ            裏面
１ｆ            中央部
１ｇ            表面
２              係止片
３              被係止片
４              補強材
６              矯正ベルト
６００          係止片
６０１          水平部
６０１ａ        凹部位
６０２          スロープ部
６ａ            端
６ｂ            端
６ｃ            下側
６ｄ            上側
６ｅ            中心部
Ｈ              腰
Ｈ１            後側
Ｈ２            腹
Ｈ３            足付け根
Ｈ４            腰骨
Ａ              矢印
Ｂ              矢印
Ｃ              矢印
【図１】
0003110663.tif 000003
【図２】
0003110663.tif 000004
【図３】
0003110663.tif 000005
【図４】
0003110663.tif 000006
【図５】
0003110663.tif 000007
【図６】
0003110663.tif 000008